(57)【要約】【課題】かな文字入力操作において、容易にかつスピーディに入力できる携帯端末機器を提供する。【解決手段】本発明の携帯端末機器は、かな文字の行選択部２０と、行選択部２０で選択された行に対応するあ段からお段までを表示選択する段表示選択部３０と、段表示選択部３０で選択された段に示された文字を表示する表示部４０を備える。段表示選択部３０はタッチパネルからなり、小文字や濁音、半濁音を併記してもよく、行選択部２０は携帯端末機器１０と分離されていてもよい。【選択図】図１
2008310662.tif 000002
【特許請求の範囲】
【請求項１】
かな文字の行選択部と、前記行選択部で選択された行に対応する あ段からお段までを表示選択する段表示選択部と、前記段表示選択部で選択された段に示された文字を表示する表示部を備えたことを特徴とする携帯端末機器。
【請求項２】
前記段表示選択部においては、小文字が表示選択できることを特徴とする請求項１に記載の携帯端末機器。
【請求項３】
前記行選択部は携帯端末機器の側面又は裏面に設けられていることを特徴とする請求項１〜２のいずれかに記載の携帯端末機器。
【請求項４】
前記行選択部は携帯端末機器と分離されていることを特徴とする請求項１〜２のいずれかに記載の携帯端末機器。
【請求項５】
前記行選択部は、指または手に固定される手段を有することを特徴とする請求項４に記載の携帯端末機器。
【発明の詳細な説明】
【技術分野】
【０００１】
本発明はかな文字入力方法に関し、特に携帯電話等におけるかな文字入力方法に関する。
【背景技術】
【０００２】
携帯電話においては、電子メ−ル等の文字入力を必要とする機能を搭載するようになってきた。そのため、本来は電話番号を入力するためのテンキ−を利用し、英語文字やかな文字（平かな、片かな）を入力するように構成されている。
【０００３】
広く用いられている従来技術としては、テンキ−等に複数の文字を割り当てて、複数回同一のキーを押下することにより、割り当てられた複数の文字を順番に切り替えて入力する方式がある。
例えば１つのテンキーに「あ」、「い」、「う」、「え」、「お」の５文字が割り当てられている場合、「お」を入力するためには５回キーを押下する必要があった。すなわちこの従来技術は、一つの文字を入力するために、その文字が表示される順番が来るまでキーを何度も押さなければならず、文章入力に大変な時間と手間を要するという問題点があった。
【０００４】
この問題を解決すべくかな文字入力方法としては、携帯電話等のかな文字入力時に、かな文字入力の開始を指定する機能キーを押下するステップと、「あ」行から「わ」行までの文字を「０」から「９」に対応させ、任意の行の任意の文字を入力する際に、「０」から「９」の中から特定の数字キーを押下するステップとを有するかな文字入力方法において、特定の数字キーを押下している間、表示エリアに「あ」行が選択された場合に、「あ」→「い」→「う」→「え」→「お」→「あ」…と順次表示するステップと、押下されているキーをはなした瞬間に表示されている文字、たとえば表示が「あ」→「い」→「う」と表示された瞬間に離すと「う」という文字が確定するステップを有する方法がある。（例えば、特許文献１参照。）
【０００５】
【特許文献１】特開２００１−３０６２３１号公報
【発明の開示】
【発明が解決しようとする課題】
【０００６】
しかし上記の方法は、順次表示するステップに時間がかかり、できるだけ操作性の良い文字入力手段を備えたものが望まれている。そこで本発明は操作性の良いかな文字入力方法を有する携帯端末機器の提供を目的とする。
【課題を解決するための手段】
【０００７】
請求項１の発明による携帯端末機器は、かな文字の行選択部と、前記行選択部で選択された行に対応する あ段からお段までを表示選択する段表示選択部と、前記段表示選択部で選択された段に示された文字を表示する表示部を備えたことを特徴としている。
【０００８】
請求項２の発明による携帯端末機器は、請求項１に記載の携帯端末機器において、前記段表示選択部は、小文字が表示選択できることを特徴としている。
【０００９】
請求項３の発明による携帯端末機器は、請求項１〜２に記載の携帯端末機器において、前記行選択部は携帯端末機器の側面又は裏面に設けられていることを特徴としている。
【００１０】
請求項４の発明による携帯端末機器は、請求項１〜２に記載の携帯端末機器において、前記行選択部は携帯端末機器と分離されていることを特徴としている。
【００１１】
請求項５の発明による携帯端末機器は、請求項４に記載の携帯端末機器において、前記行選択部は、指または手に固定される手段を有することを特徴としている。
【発明の効果】
【００１２】
以上のように本発明による携帯端末機器は、かな文字の行選択部と行選択部で選択された行に対応する あ段からお段までを表示選択する段表示選択部と、段表示選択部で選択された段に示された文字を表示する表示部を備えたことにより、操作性の良いかな文字入力方法を有する携帯端末機器の提供することができる。
【発明を実施するための最良の形態】
【００１３】
本発明について図面を用いて説明するが、図面は構成が分かり易いように描いたため、実寸比でなく、部分的に拡大または縮小されている。
【００１４】
図１は本発明の実施形態を示す説明図である。携帯電話などの携帯端末機器１０は、主に行選択部２０、段表示選択部３０、表示部４０、操作キー５０、テンキー６０を備えている。
【００１５】
テンキー６０は、１から０までの数値キーと補助キーからなり、１つのテンキーにはいくつかの文字が割り当てられている。このテンキーからも文字入力ができる。
【００１６】
操作キー５０は、文字選択や変換ができるキーや、アドレス帖を開き選択するキーなどのほか、各種モード設定や画像対応のキーからなる。
【００１７】
表示部４０は、各種情報が表示されるわけであるが、かな文字入力時は入力されたかな文字が表示される。一つまたは複数のかな文字が入力されたあと、操作キー５０で文字変換が行なわれ、変換された文字が表示される。
本発明では表示部４０の一部（例えば下部）は、段表示選択部３０となり、選択された「行」の「段」のかな文字が表示される。もちろん段表示選択部３０と表示部４０とを分けてもよい。
【００１８】
行選択部２０は、「あ」から「わ」行が選択できるスイッチからなる。例えば行選択部２０で「か」を選択すれば、段表示選択部３０には「かきくけこ」と表示されている。「あ」から「わ」行の配置順は、使用頻度などで変わるようにしてもよいが、この場合行選択部２０はタッチパネルを用いるとよい。
【００１９】
行選択部２０の操作は、携帯端末機器１０を持つ手で行なってもよいが、行選択部２０を携帯端末機器１０から分離して、携帯端末機器１０を持たない手で行なえるようにしてもよい。例えば左手で行選択部２０を操作し、右手で段表示選択部３０を操作する。
行選択部２０と段表示選択部３０とは、有線又は無線で信号を授受することになる。分離された行選択部２０は、指や手の一部に固定できる（例えば指用の穴を開ける）ようにすると、キー選択の位置が安定し操作し易く、落下もしない。
【００２０】
行選択部２０のスイッチはロータリー式のスイッチでもよい。
【００２１】
段表示選択部３０は、行選択部２０で選択された「行」の各「段」のかな文字を表示する。そして一文字が選択されるので、タッチパネル式の表示選択方式となる。「段」は通常５文字であるが、小文字を併記し選択できるようにしてもよい。また濁音や半濁音も、同様に併記してもよい。タッチパネルは段表示選択部３０のみならず表示部４０全体であってもよい。
【産業上の利用可能性】
【００２２】
本発明は、かな文字とかな文字キーが１対１で対応していない、携帯電話などの携帯端末機器に適用できる。
【図面の簡単な説明】
【００２３】
【図１】本発明の実施形態を示す説明図。
【符号の説明】
【００２４】
１０  携帯端末機器
２０  行選択部
３０  段表示選択部
４０  表示部
５０  操作キー
６０  テンキー
【図１】
2008310662.tif 000003